(57)【要約】【課題】ゴミ箱の連結および分離が容易にでき、連結分離作業において部材の破損および紛失し難くいゴミ箱を提供する。【解決手段】開口部があり、切込溝４を備えたゴミ箱本体１と、投入口５を備えゴミ箱本体１の開口部に取付けられる蓋２と、合わせ面６と切込溝４へ差し込む溝７を備えた連結棒３によって構成するゴミ箱は、ゴミ箱本体１の側面を隣り合わせて配置し、合わせ面６同士を合わせて、隣り合ったゴミ箱本体１の側面を挟むように溝７を切込溝４へはめ込むことで連結するので作業が容易である。連結に使用する部材である連結棒３は、ゴミ箱の横幅程度の長さに成形するので、破損し難い強度を確保でき、また、紛失し難い大きさである。【選択図】図１
0003118358.tif 000002
【実用新案登録請求の範囲】
【請求項１】
切込溝を備えたゴミ箱本体と、ゴミを投入するための投入口を備えゴミ箱本体の開口部に取り付けられる蓋と、ゴミ箱本体の側面同士を合わせて並べた状態で、隣り合った切込溝に連結棒を溝にはめ込んでゴミ箱本体を連結できる連結棒とを備えた簡易連結できるゴミ箱。
【請求項２】
ゴミ箱本体は、上面と正面が開口し、ゴミ袋の一部を支えるために両側面の上部前方付近に連結棒をはめ込みできる切込溝が成形されている請求項１記載の簡易連結できるゴミ箱。
【請求項３】
ゴミ箱本体は、上面と正面および背面が開口し、ゴミ袋の一部を支えるために両側面の上部前方付近および上部後方付近の２カ所に連結棒をはめ込みできる切込溝が成形されている請求項１記載の簡易連結できるゴミ箱。
【請求項４】
両端から一定距離で半分に切り取られた部分同士を合わせて切込溝にはめ込んでゴミ箱本体を連結でき、ゴミ袋の一部を支える機能を持つ連結棒を設けた請求項１または２または３記載の簡易連結できるゴミ箱。
【考案の詳細な説明】
【技術分野】
【０００１】
本考案は連結と分離が容易にできる構造を備えたゴミ箱に関するものである。
【背景技術】
【０００２】
従来、ゴミ箱を連結するには、片方の側面に爪を設け、もう片方の側面に爪を差し込む口を設けて、爪を口に差し込み連結する方法、あるいは、隣接する側面にコの字型の部材をはめ込み連結する方法、あるいは、ゴミ箱の底面を複数接続できる専用の台座を使う方法等があった。
【特許文献１】特開平８−１９４３９
【考案の開示】
【考案が解決しようとする課題】
【０００３】
しかし、上述のような方法でゴミ箱の連結と分離を繰り返す作業において、爪を口に差し込む方法は爪が破損しやすいという問題点があり、また、コの字型の部材を使う方法は部品が破損しやすいという問題点と、部材が小さいため紛失しやすいという問題点があり、さらに、ゴミ箱の底面を複数接続できる専用の台座を使う方法では、連結するゴミ箱の数に合わせて台座を再度入手しなければならない等の問題点があった。
【０００４】
本考案は上記問題点の解決を目的とするものであり、連結と分離を手間取ることなくできるゴミ箱を提供するものである。
【課題を解決するための手段】
【０００５】
本考案は、上記目的を達成するために、切込溝を備えたゴミ箱本体と、ゴミを投入するための投入口を備えゴミ箱本体の開口部に取り付けられる蓋と、両端に溝を凹設し、両端から一定距離で半分に切り取られた連結棒とを備え、ゴミ箱本体の側面同士を合わせて並べた状態で、両端から一定距離で半分に切り取られた連結棒の合わせ面同士を合わせて、連結棒の溝を隣り合った２つの切込溝に同時にはめ込んでゴミ箱本体を連結することを特徴とするゴミ箱である。
【考案の効果】
【０００６】
本考案は、両端から一定距離で半分に切り取られた連結棒の合わせ面同士を合わせて、連結棒の溝を隣り合った２つの切込溝に同時にはめ込むことで連結が容易にでき、また、切込溝から連結棒を引き抜くことで分離が容易にできる。
【０００７】
また、本考案は、ゴミ箱本体が３つまたは４つまたはそれ以上に増えた場合であっても、両端から一定距離で半分に切り取られた連結棒の合わせ面同士を合わせて、連結棒の溝を隣り合った２つの切込溝に同時にはめ込む機構を用いれば、新たに連結のための部品を増やすことなく増設できる。
【０００８】
さらに、本考案は、複数連結されたゴミ箱本体を切り離して使用したい場合も、容易に分離し使用することができる。
【０００９】
連結棒は、ゴミ箱本体の横幅程度の長さあるいは大きさに成形するので、連結分離作業において紛失し難い大きさである。
【００１０】
また、連結棒は、ゴミ箱本体の横幅程度の長さあるいは大きさに成形するので、連結分離作業において破損し難い強度を確保できる。
【００１１】
ゴミ箱を連結することで、ゴミ箱の整理整頓ができ、さらに転倒防止にもなるので、ゴミ箱周辺が美化できる。
【考案を実施するための最良の形態】
【００１２】
図１および図２に本考案の実施形態を例示する。上面と前面が開口したゴミ箱本体１と、ゴミ箱本体１の開口部に着脱する蓋２と、ゴミ箱本体１の切込溝４にはめ込んで使用する連結棒３とによって構成される。
【００１３】
ゴミ箱本体１は、上面が開口した形状、あるいは、上面および前面および背面が開口した形状であってもよい。
【００１４】
ゴミ箱本体１は、上面および前面が開口した形状、あるいは、上面および前面および背面が開口した形状では、ゴミ袋を装着して使用する。このときゴミ袋は前面から引き出すので、ゴミ処理作業は、ゴミ袋を上面から引き出す方法より省力化できる。
【００１５】
ゴミ箱本体１は、ゴミ箱本体１の上面および前面が開口した形状であるときは、ゴミ箱本体１の両側面の上部前方付近に切込溝４が成形される。
【００１６】
図１および図２で示す実施形態の場合、ゴミ箱本体１は、連結棒３を１本のみはめ込んでいるが、連結を強固にするため、ゴミ箱本体１に２本以上の連結棒３をはめ込めるように切込溝４をたくさん成形してもよい。
【００１７】
蓋２は、ゴミを投入するための投入口５を備え、ゴミ袋を装着したときにゴミ袋が隠れるように側面を成形してあり、ゴミ箱本体１の開口部に被せるようにはめ込んで使用する。
【００１８】
連結棒３は、切込溝４に差し込めるようにゴミ箱本体１の幅と同位置に溝７が凹設してあり、両端から一定距離で半分に切り取られている。
【００１９】
連結棒３は、切り取られた部分の合わせ面６同士を合わせて、ゴミ箱本体１の側面方向に並べたときの隣り合った２枚の切込溝４を挟むように差し込むことで連結できる機能を備えている。
【００２０】
連結棒３は、ゴミ箱本体１の切込溝４に連結棒３をはめ込み、蓋２を被せることでゴミ箱本体１の側面と蓋２の側面によって固定される。
【００２１】
連結棒３は、切込溝４に差し込めるようにゴミ箱本体１の幅と同位置に溝７が凹設してあり、全体が半分に切り取られた半円柱でもよい。
【００２２】
連結棒３が両端から一定距離で半分に切り取った形状、また、全体を半分に切り取った半円柱形状どちらの場合も、合わせ面６の位置がわかりやすく連結のときに連結棒３の溝７がずれないように、合わせ面６に突起と突起をはめ込める穴を設けてもよい。
【００２３】
切込溝４は、連結棒３をはめ込みやすいように、切込溝４を中心にゴミ箱本体１の側面から垂直に成形された板等のガイドを設けてもよい。
【００２４】
図３は、連結棒３を取り付け、ゴミ袋８を装着した例を示す。ゴミ袋８は、ゴミ箱本体１の両側面上辺と背面上辺と連結棒３の部分で、ゴミ箱の中から外側に裏返して装着される。このとき連結棒３は、ゴミ箱本体１同士を連結する機能のほか、ゴミ袋を装着する役割も持っている。
【００２５】
図３のようにゴミ袋を装着し、それに蓋２を取り付けると、ゴミ袋を固定できる。
【００２６】
図４は、ゴミ箱本体を連結する方法を示した図である。ゴミ箱本体１の側面が隣り合うように並べ、連結棒３の合わせ面６同士を合わせて、隣り合った２枚の切込溝４を挟むように差し込んでゴミ箱本体を連結する。
【００２７】
図５は、ゴミ箱本体１の側面方向に並べ、合わせ面６同士を合わせて連結棒３を切込溝４にはめ込み、蓋２を被せた状態の連結部分断面の略図である。溝７は、ゴミ箱本体１の側面部材２枚と、ゴミ箱本体１に被せる蓋２の部材２枚分をはめ込みできる広さに凹設してある。ゴミ箱本体１を連結した状態でもゴミ袋を装着でき、蓋２をはめ込むことができる。
【００２８】
図５のように使用すると、連結棒３はゴミ箱本体１の側面と蓋２の側面で固定され、ゴミ袋８はゴミ箱本体１の側面上辺および背面上辺および連結棒３と蓋２によって固定される。ゴミ袋８が固定されることにより、投入口５から投入されたゴミを確実にゴミ袋８で受け取ることができる。
【００２９】
また、ゴミ箱本体１を単体または連結した状態で、ゴミ袋８を装着し、側面がゴミ袋８を隠せる大きさに成形された蓋２を取り付けることにより、正面および側面からはゴミ袋が見えなくなり、美しい状態で使用できる。
【００３０】
図６は、上面および前面および背面が開口したゴミ箱本体１と、ゴミを投入するための投入口５を備え、ゴミ箱本体１に装着する蓋２の例を示す。蓋２はゴミ袋を隠すための側面が成形されている。
【００３１】
ゴミ箱本体１は、ゴミ箱本体１の両側面の上部前方付近連結棒３をはめ込める切込溝４が成形されている。図６の場合、ゴミ箱本体１は前後を入れ替えても使用できる。
【００３２】
図６の場合、ゴミ箱本体１の背面に跨って取り付けられる板の代わりに、切込溝を成形し、連結棒３をはめ込んでもよい。
【００３３】
また、図６の場合、ゴミ箱本体１の側面に跨って取り付けられる連結棒３は、ゴミ箱本体１の上辺と連結棒３の部分で、ゴミ箱の中から外側に裏返して装着される。
【００３４】
図１および図６のいずれの場合も切込溝４は、投入口５から投入されたゴミを装着されたゴミ袋で受けることができる場所であれば、前後上下に移動させた位置に成形してもよい。
【００３５】
図７は、自動販売機または構造物等の壁面に連結する部材を例示する。壁面連結用部材９は、連結棒３と同様の溝を凹設してあり、接着剤やネジ等により壁面に取り付け、ゴミ箱本体１と連結することができる。自動販売機または構造物等の壁面に連結することでゴミ箱の転倒防止になる。
【００３６】
図８は、図１のａ方向から見た連結棒３の外形を例示する。連結棒３の外形は円に限られず、四角形あるいは菱形あるいは六角形あるいは八角形等の点対称な形状でもよい。
【００３７】
また、図１のａ方向から見た連結棒３の溝７の外形も半円に限られず、四角形あるいは菱形あるいは六角形あるいは八角形等の点対称な多角形を半分に切断した形状でもよい。
【００３８】
図１のａ方向から見た連結棒３の溝７の外形が円の場合、方向が限定されないので、連結作業が簡素化され、作業性が向上する。一方、図１のａ方向から見た連結棒３の溝７の外形が点対称な多角形を半分した形状の場合、切込溝４を外形に合うように成形すれば、連結棒３は、決まった位置に固定されることになる。
【００３９】
さらに、連結棒３の外形が点対称な形状であれば、連結棒３は同一の部材で連結ができるので、生産の金型費用が抑えられ、安価な製品を提供できる。
【００４０】
なお、本考案は、要旨を逸脱しない範囲内で形状ならびに大きさ等に修正および変更を加え得ることは勿論である。
【図面の簡単な説明】
【００４１】
【図１】本考案の実施形態を例示するゴミ箱の斜視図である。
【図２】図１の実施形態において、連結状態を示した斜視図である。
【図３】図１の実施形態において、ゴミ袋を装着した斜視図である。
【図４】図１の実施形態において、連結方法を示した斜視図である。
【図５】連結部分の断面図である。
【図６】本考案の上面および前面および背面が開口したゴミ箱を例示した斜視図である。
【図７】ゴミ箱本体を壁面に連結する部材の斜視図である。
【図８】図１のａ方向から見た連結棒の外形を示した平面図である。
【符号の説明】
【００４２】
１  ゴミ箱本体
２  蓋
３  連結棒
４  切込溝
５  投入口
６  合わせ面
７  溝
８  ゴミ袋
９  壁面連結用部材
【図１】
0003118358.tif 000003
【図２】
0003118358.tif 000004
【図３】
0003118358.tif 000005
【図４】
0003118358.tif 000006
【図５】
0003118358.tif 000007
【図６】
0003118358.tif 000008
【図７】
0003118358.tif 000009
【図８】
0003118358.tif 000010